(57)【特許請求の範囲】
【請求項１】
イレイサーの消去面に垂直に複数配置され、イレイサーの長手方向に複数のスリットを形成するための第１の刃と、前記イレイサーの消去面に水平に配置され、前記第１の刃によって形成された複数のスリット間を切断する第２の刃とを有し、前記第２の刃は、前記第１の刃間で略Ｖ字形状を構成していることを特徴とするイレイサー用表面切断装置。
【請求項２】
前記複数の第１の刃は、それぞれの刃先が鋭角を構成していることを特徴とする請求項１項記載のイレイサー用表面切断装置。
【請求項３】
前記イレイサー用表面切断装置を備えたケース体と、該ケース体に着脱可能に配置されるメラミンフォーム材からなる立方体形状の消去部とを有し、前記イレイサー用表面切断装置は、請求項１に記載のイレイサー用表面切断装置であるイレイサー。
【請求項４】
イレイサーの消去面に垂直に複数配置され、イレイサーに複数のスリットを形成するための第１の刃と、前記消去面に水平に配置され、前記第１の刃によって形成されたスリット間を切断する第２の刃と、大型筆記面とを有し、前記第２の刃は、前記第１の刃間で略Ｖ字形状を構成したことを特徴とするホワイトボード。
【発明の詳細な説明】
【技術分野】
【０００１】
本発明は、ホワイトボード等で使用するイレーサの表面を除去するイレイサー用表面切断装置及びこれを用いたイレイサー、或はホワイトボードに関するものである。
【背景技術】
【０００２】
電子黒板装置やホワイトボード等の大型の筆記装置（以下、単にホワイトボードという）では、文字や図形を筆記する水性マーカーと、この筆記を消去するイレーサーを用いている。
このイレーサーとしてメラミンフォーム材を用いるものがある。
【０００３】
特開２００８−２７３１５７号には、櫛型状に配置されたメラミンフォーム材からなるイレイサーが示されている。
また、この文献には、筆記面の消去によって汚れたメラミンフォームの表面をカッターで切断除去することが示されている。
【０００４】
【特許文献１】特開２００８−２７３１５７号
【発明の開示】
【発明が解決しようとする課題】
【０００５】
特許文献１のイレイサーにおいては、櫛型に形成した複雑な構造のメラミンフォーム材や、この櫛刃状のメラミンフォーム材の櫛刃部を夫々離間して固定するための開口を有するケース体などを必要とするため、コスト高となってしまう。
またそれぞれのメラミンフォームは離間しているため、汚れをふき取る面積が小さく、立方体形状の場合の全面でふき取るものに比べて、ふき取り面積が小さい分、消去面の汚れが早く、イレイサーの利用可能時間が短くなってしまう。
更に、立方体形状のメラミンフォーム材の表面を切断する場合、上述の特許文献１に示されるような、１つのカッター刃を用いる場合には、切断開始時のメラミンフォームと刃の接触面積が大きすぎるため、刃でメラミンフォームを押し付けて変形させることとなり、切断できないことがある。
【０００６】
本発明においては、安価な立方体形状のメラミンフォーム材と把持部のみからなるイレイサー用い、かつこのイレイサーの表面を確実に切断除去する表面切断装置を用いて、イレイサーの汚れた面を一定量削除することによって、消去性を害することなく長時間使用可能なイレイサーを提供するものである。
【課題を解決するための手段】
【０００７】
上記課題を解決するため、本発明は、請求項１に記載するように、イレイサー用表面切断装置であって、イレイサーの消去面に対し垂直に複数配置され、イレイサーの長手方向に複数のスリットを形成するための第１の刃と、前記イレイサーの消去面に水平に配置され、前記第１の刃によって形成された複数のスリット間を切断する第２の刃とを有し、前記第２の刃は、前記第１の刃間で略Ｖ字形状を構成していることを特徴としている。
また、このイレイサー用表面切断装置を備えたケース体と、メラミンフォーム材からなる立方体形状の消去部とでイレイサーを構成するものであり、更にイレイサーの消去面に垂直に複数配置され、イレイサーに複数のスリットを形成するための第１の刃と、前記消去面に水平に配置され、前記第１の刃によって形成されたスリット間を切断する第２の刃と大型筆記面とを有し、第２の刃は、前記第１の刃間で略Ｖ字形状を構成したことを特徴としたホワイトボードである。
【０００８】
また、請求項２に記載するように、第１の刃の刃先を鋭角な形状とするものであり、より小さい力で、確実にイレイサーの表面を切断するものである。
【発明の効果】
【０００９】
本発明によれば、安価な立方体形状のメラミンフォーム材と、これを収納する樹脂製ケースを用いることで、安価にイレイサーを構成することが可能となり、また、このイレイサーの汚れ面を確実に切断除去する表面切断装置を用いることにより、ホワイトボードの筆記面の汚れを除去する効果を損なうことなく、より長期間使用可能なイレイサーを提供することが可能となる。
よって、簡単な構成かつ低コストでホワイトボード用イレイサーの利便性が向上するものである。
【発明を実施するための最良の形態】
【００１０】
以下、本発明を実施するための最良の形態について、図面を参照して詳細に説明する。
【実施例】
【００１１】
以下、図に沿って本発明の一実施例を説明する。
図１は本発明の一実施例のイレイサー用表面切断装置を説明するための斜視図である。
１はイレイサー用表面切断装置たるカッター本体であり、２はイレイサーの消去面に垂直な切断面たるスリットを複数形成するための第１の刃、３はイレイサーの消去面に平行に配置され、イレイサーの消去作業によってマーカーのインクカスによって汚れた消去面を、一定量切断するための第２の刃である。
第１の刃は、夫々その刃先が図中下方に従い突出するような鋭角を成し、第２の刃は、第１の刃間でＶ字形状をなしている。
このような第１の刃及び、第２の刃の刃先形状により、イレイサーの消去部であるメラミンフォーム材に刃先が鋭角に進入するようになり、より小さい力でも効率的に切断ができる。
【００１２】
図２に、このカッター本体１とイレイサー４の斜視図を示す。
イレイサー４は立方体形状のメラミンフォーム材からなる消去部５と、この消去部５を収納するケースからなる把持部６とで構成される。
尚、メラミンフォームとは、スポンジ状の構造体であり、通常、台所などの洗浄に用いられている。
また、把持部６は樹脂製のケースであって、消去部の横幅、及び縦幅は消去部と同等、或は若干小さく、奥行きは消去部の2分の１以下の大きさの凹部を構成しており、イレイサー４の消去部５は、この凹部に着脱可能に配置される。
第１の刃の刃先によって、最初にメラミンフォームの表面に垂直な複数のスリットが形成され、その後、第２の刃によって、この複数のスリット間が切断される。
【００１３】
図３に表面切断後のイレイサーの状態を示す。
前述のように、先に第１の刃によって複数のスリットが形成され、その後にＶ字形状の第２の刃によって、それぞれのスリット端部から徐々にスリットの中央に向かって切断動作が行われて、複数の切断辺７が形成されるため、小さい力で、確実にイレイサー表面を切断することが可能となる。
【００１４】
以上のカッター本体１は、例えば図４に示すようなカッター把持部８を形成するケース体に装着されて使用される。
このケース体の第１の刃付近の底面に、イレイサー４の表面を接するように配置して、イレイサを第１及び、第２の刃側にスライド移動させることによって、イレイサー４の消去面は、図３に示すように切断される。
【００１５】
尚、このカッター把持部８をイレイサーの把持部６としてもよい。
この場合は、この把持部６（８）からメラミンフォーム消去部５を取り外した後、前述の第１の刃、及び第２の刃によって、消去面の切断を行うことになる。
【００１６】
また、図５に示すようにカッター本体を、ホワイトボード９のトレイ１０に設けてもよい。
この場合は、イレイサーの消去面をトレイ１０の底面に配置して、スライド移動することで消去面を切断することになる。
この図５では、トレイ１０の左右端にカッター本体１を設けているが、トレイ１０の右側、或は左側の一方のみに設けてもよい。
また、カッター本体１を、ホワイトボード９のトレイ１０に着脱可能に設けてもよい。
【００１７】
本発明は、上記の実施例に限定されるものではなく、例えば、第１の刃或は第２の刃の刃先は鋭角ではなく平坦にしてもよい。
また、イレイサー表面切断装置やイレイサー、ホワイトボードの形状等も、上述の実施例の構造に限定されるものではない。
【産業上の利用可能性】
【００１８】
本発明は、会議室などで利用される大型筆記装置の筆記面を消去するイレイサーに用いることが可能である。
【図面の簡単な説明】
【００１９】
【図１】図１は、本発明の実施例のカッター本体（イレイサー表面切断装置）を示す斜視図である。
【図２】図２は、本発明の実施例のイレイサー及びカッター本体を示す斜視図である。
【図３】図３は、本発明の実施例の切断後の状態を示す斜視図である。
【図４】図４は、本発明の実施例のカッター本体をカッター把持部に組み込んだ状態を示す斜視図である。
【図５】図５は、本発明の実施例のカッター本体を、ホワイトボードに組み込んだ状態を示す斜視図である。
【符号の説明】
【００２０】
１：カッター本体（イレイサー表面切断装置）
２：第１の刃
３：第２の刃
４：イレイサー
５：消去部
【図１】
0006518444.tif 000002
【図２】
0006518444.tif 000003
【図３】
0006518444.tif 000004
【図４】
0006518444.tif 000005
【図５】
0006518444.tif 000006